(57)【要約】【課題】トイレ室の空間を損なうことなく、トイレ使用者にとって利便性が高く、収集の目的とするごみ以外のごみの投入を防止できる公衆トイレ用ごみ箱。【解決手段】筐体状の本体１２と、本体１２に収められ、ごみを収容する収容容器４０とを有し、本体１２には、その前面の上部に、１０〜３０°の角度で上方に傾いた傾斜面２０を設け、傾斜面２０には、長さ５０〜１７０ｍｍ、幅１５〜５５ｍｍで開口した、ごみの投入口２１を形成し、本体１２には、投入口２１を塞ぎ、かつ、揺動自在な蓋体２２を設け、本体１２には、傾斜面２０の下方に収容容器４０を取り出す取出口３１を形成し、取出口３１を塞ぐ扉体３２を設ける。【選択図】図１
2010269909.tif 000002
【特許請求の範囲】
【請求項１】
筐体状の本体と、前記本体に収められ、ごみを収容する収容容器とを有し、
前記本体は、その前面の上部に、１０〜３０°の角度で上方に傾いた傾斜面を有し、
前記傾斜面には、長さ５０〜１７０ｍｍ、幅１５〜５５ｍｍで開口した、ごみの投入口が形成され、
前記本体には、前記投入口を塞ぎ、かつ、揺動自在な蓋体が設けられ、
前記本体には、前記傾斜面の下方に前記収容容器を取り出す取出口が形成され、該取出口を塞ぐ扉体が設けられていることを特徴とする、公衆トイレ用ごみ箱。
【発明の詳細な説明】
【技術分野】
【０００１】
本発明は、公衆トイレ用ごみ箱に関する。
【背景技術】
【０００２】
従来、電車車両、駅構内、公園、ホテル等の公衆トイレでは、トイレ室内の空間確保のため、壁に嵌めこまれたごみ箱が用いられている。このような公衆トイレ用ごみ箱としては、トイレ室内に面した壁にごみを投入する投入口を設け、壁の裏側にごみを収納する本体を設けたものが知られている（例えば、特許文献１）。本来、公衆トイレ用ごみ箱は、トイレの使用中に発生し、トイレに流して処理できない紙ごみ、生理用品等の可燃ごみの収集を目的としている。
【先行技術文献】
【特許文献】
【０００３】
【特許文献１】特開平１１−７６１０７号公報
【発明の概要】
【発明が解決しようとする課題】
【０００４】
しかしながら、従来の公衆トイレ用ごみ箱には、本来、収集の目的としてない空き缶、空きビン等の不燃ごみや、比較的大型のごみが投入されることがある。加えて、公衆トイレ用ごみ箱内のごみが、悪戯目的で取り出されることがある。公衆トイレ用ごみ箱には、トイレ室の限られた空間を著しく損なうことなく、トイレ使用者にとって利便性の高い構造が要求されている。
そこで、本発明は、トイレ室の空間を損なうことなく、トイレ使用者にとって利便性が高く、収集の目的とするごみ以外のごみの投入と悪戯を防止できる公衆トイレ用ごみ箱を目的とする。
【課題を解決するための手段】
【０００５】
本発明の公衆トイレ用ごみ箱は、筐体状の本体と、前記本体に収められ、ごみを収容する収容容器とを有し、前記本体は、その前面の上部に、１０〜３０°の角度で上方に傾いた傾斜面を有し、前記傾斜面には、長さ５０〜１７０ｍｍ、幅１５〜５５ｍｍで開口した、ごみの投入口が形成され、前記本体には、前記投入口を塞ぎ、かつ、揺動自在な蓋体が設けられ、前記本体には、前記傾斜面の下方に前記収容容器を取り出す取出口が形成され、該取出口を塞ぐ扉体が設けられていることを特徴とする。
【発明の効果】
【０００６】
本発明の公衆トイレ用ごみ箱によれば、トイレ室の空間を損なうことなく、トイレ使用者にとって利便性が高く、収集の目的とするごみ以外のごみの投入と悪戯を防止できる。
【図面の簡単な説明】
【０００７】
【図１】本発明の実施形態にかかる公衆トイレ用ごみ箱を示す側面図である。
【図２】本発明の実施形態にかかる公衆トイレ用ごみ箱を示す正面図である。
【図３】本発明の実施形態にかかる公衆トイレ用ゴミ箱の部分断面図である。
【図４】本発明の実施形態にかかる公衆トイレ用ごみ箱の使用方法を説明する側面図である。
【発明を実施するための形態】
【０００８】
（公衆トイレ用ごみ箱）
本発明の公衆トイレ用ごみ箱について、その一実施形態例を以下に図１〜３を用いて説明する。図１は、本発明の実施形態にかかる公衆トイレ用ごみ箱１０の側面図である。図２は、本発明の実施形態にかかる公衆トイレ用ごみ箱１０の正面図である。図３は、本発明の実施形態にかかる公衆トイレ用ごみ箱１０の部分断面図である。
なお、本稿において「トイレ室」とは、便座を配置した個室のみならず、該個室が配置された空間である公衆トイレの施設そのものをも含む概念である。
【０００９】
公衆トイレ用ごみ箱１０は、筐体状の本体１２と、本体１２に収容された収容容器４０とを有する。
本体１２はトイレ室の壁内に設置され、使用者の側に配置される前面フレーム１４、天面１５、底面１６、背面１７、側面１８とで、全体として箱状に構成されている。前面フレーム１４の天面１５側である上部には、上方に傾いた傾斜面である上部傾斜面２０が設けられている。前面フレーム１４には、上部傾斜面２０の底面１６側である下部に、下方に傾いた傾斜面である下部傾斜面３０が設けられている。
上部傾斜面２０には、ごみを投入するための略矩形の投入口２１が形成され、下部傾斜面３０には収容容器４０を取り出すための取出口３１が形成されている。
本体１２の内側には、取出口３１から取り出し可能に収容容器４０が収められている。
【００１０】
上部傾斜面２０の鉛直方向に対する角度、即ち、傾斜面に沿った斜線Ｂと垂線Ａとで形成された角度θ１は１０〜３０°であり、１５〜２５°であることが好ましい。上記範囲内であれば、便座に着座した状態で、容易にごみを投入口２１に投入できるためである。
【００１１】
略矩形の投入口２１の長さＬ１は、５０〜１７０ｍｍであり、１００〜１６３ｍｍであることが好ましい。上記範囲内であれば、生理用品等、公衆トイレ用ごみ箱１０が収集対象とするごみの投入が容易であり、かつ、雑誌や新聞紙等の比較的大型のごみが投入され、収容容器が早期にごみで満たされることを防ぐことができる。
投入口２１の幅Ｌ２は、１５〜５５であり、３０〜５１ｍｍが好ましい。上記範囲内であれば、公衆トイレ用ごみ箱１０が収集対象とするごみの投入が容易であり、かつ、空き缶や空き瓶等、公衆トイレ用ごみ箱１０が収集対象としないごみが、容易に投入されることを防止できる。
なお、投入口２１の形状である略矩形とは、矩形のみならず、矩形の四隅を直線又は曲線で隅切された形状を含む概念である。
【００１２】
前面フレーム１４には、投入口２１を塞ぐ蓋体２２が設けられている。蓋体２２の上端２５には、両方の側面１８に向かって突出する支持軸２４が設けられている。蓋体２２は、支持軸２４が略水平となるように、前面フレーム１４に設けられた軸受け２６に挿入され、支持軸２４を支点として揺動可能に本体１２に支持されている。ここで「略水平」とは、蓋体２２が背面１７側に押圧されない状態（常態）において、その重心により所定の位置に停止し、投入口２１を塞ぐ程度に水平であることを意味する。
【００１３】
蓋体２２は、支持軸２４を支点として揺動自在に軸支され、常態時において投入口２１を塞ぐものである。図３に示すように、蓋体２２は、側面１８から見た側断面の形状が、上部傾斜面２０と略平行な投入口２１側の面（蓋体外側面）により形成される第一の辺ａと、本体１２内部側の面（蓋体内側面）により形成される第二の辺ｂとが上端２５で接して形成する内角を頂角θ２とし、蓋体２２の下方の面（蓋体底面）を第三の辺（底辺）ｃとする略二等辺三角形となっている。蓋体２２は、このような形状を有することで、常態において底辺ｃを二分する中点Ｐと上端２５とを結ぶ直線Ｑが垂線Ａと平行な状態となり、上部傾斜面２０と略平行な蓋体外側面により投入口２１を塞いでいる。
【００１４】
蓋体２２の材質は、洗浄の容易性、蓋体２２の大きさ、蓋体２２に求める強度や耐久性等を勘案して決定することができ、例えば、ステンレス等が挙げられる。
【００１５】
蓋体２２の大きさは特に限定されないが、蓋体外側面の長さは投入口２１の長さＬ１よりも長く、かつ、第一の辺ａの長さは投入口２１の幅Ｌ２よりも長いことが好ましい。このような大きさであれば、蓋体２２は、後方に押圧されて投入口２１からごみが投入された後、前方に常態に戻る際、投入口２１の周縁部に衝突して速やかに静止し投入口２１を塞ぐことができるためである。
【００１６】
取出口３１は、本体１２に収容された収容容器４０を取り出すための開口部である。取出口３１の大きさは、収容容器４０の大きさと同等以上の大きさであり、収容容器４０の大きさや操作性等を勘案して決定することができる。
【００１７】
前面フレーム１４には、取出口３１を塞ぐ扉体３２が設けられている。扉体３２の前面には取っ手３６が設けられている。扉体３２には、その下方に、両方の側面１８に向かって突出する支持軸３４が設けられている。扉体３２は、支持軸３４が前面フレーム１４の下方に設けられた軸受け３５に挿入され、支持軸３４を支点として回動可能に本体１２に支持されている。
【００１８】
扉体３２の材質は、洗浄の容易性、扉体３２の大きさ、扉体３２に求める強度や耐久性等を勘案して決定することができ、例えばステンレス等が挙げられる。
扉体３２の大きさは、取出口３１を十分に覆える大きさであり、操作性等を勘案して決定することができる。
【００１９】
取っ手３６の形態は、特に限定されないが、トイレ室の空間をできるだけ損なわないようにする観点から、扉体３２に埋め込まれ、扉体３２の表面と略面一であるものが好ましい。例えば、図１、２に示すように、扉体３２が閉じている場合は、把持部３７が扉体３２の表面と略面一であり、扉体３２を開く際に把持部３７を引き出して、開閉操作ができるものが好ましい。
加えて、扉体３２には施錠装置が設けられていることが好ましい。扉体３２の開閉が不特定人により容易に行われると、公衆トイレ用ごみ箱１０が収容を予定していないものが投入されたり、収容したごみを取り出す悪戯等、不測の行為がなされる懸念があるためである。
【００２０】
収容容器４０の材質は、洗浄の容易性、収容容器４０の大きさ、収容容器４０に求める強度や耐久性、収容容器４０を取り出す際の操作性等を勘案して決定することができ、例えばステンレスやプラスチック等が挙げられる。
収容容器４０の形状は特に限定されず、直方体形、円筒形等が挙げられ、本体１２内部の形状に応じて決定することができる。
収容容器４０の大きさは、取出口３１の大きさに応じて決定することができる。
【００２１】
（公衆トイレ用ごみ箱の使用方法）
公衆トイレ用ごみ箱１０の使用方法について、図４を用いて説明する。図４は、公衆トイレ用ごみ箱１０の使用方法を説明する側面図である。
公衆トイレ用ごみ箱１０は、前面フレーム１４がトイレ室内に配置されて投入口２１と取出口３１がトイレ室内に露出するように、本体１２がトイレ室内の壁１１に嵌め込まれ、利用される。
【００２２】
公衆トイレ用ごみ箱１０の設置位置は特に限定されないが、例えば、床面から投入口２１の上端までの距離が６０〜１００ｃｍとなるように設置されることが好ましい。かかる設置位置とすることで、トイレ使用者は、便座に着座したままでも、ごみを投入できるためである。
【００２３】
図４に示すとおり、公衆トイレ用ごみ箱１０は、常態において蓋体２２ａにより投入口２１が塞がれ、扉体３２ａにより取出口３１が塞がれている。
トイレ使用者は、公衆トイレ用ごみ箱１０にごみを投入するに当たり、まず、投入口２１の蓋体２２ａを背面１７側に押圧する。押圧された蓋体２２ａは、支持軸２４を支点として天面１５に向かって回動し、蓋体２２ｂの状態となる。こうして、投入口２１は開口され、ごみの投入が可能となる。この状態において、蓋体２２の重心は、天面１５側に移動している。
投入口２１からごみを投入すると、投入されたごみは、本体１２内を落下し、本体１２内に収められた収容容器４０に収容される。トイレ使用者がごみの投入を終え、蓋体２２ｂへの押圧を解除すると、蓋体２２ｂは、その重心移動により、支持軸２４を支点とし、自ずと落下するように回動して、常態（蓋体２２ａ）に復帰する。こうして、蓋体２２ａは、投入口２１を塞ぐことができる。
【００２４】
ごみの投入が継続的に行われ収容容器４０がごみで満たされた場合には、次の操作により収容容器４０のごみを回収又は廃棄できる。まず、常態における扉体３２ａを開錠し、把持部３７を把持して前方へ引っ張る。把持部３７を引っ張ると、扉体３２ａは支持軸３４を支点として回動し、扉体３２ａは前方に倒れるようにして扉体３２ｂの状態となる。こうして、取出口３１は開口される。そして、開口した取出口３１から、収容容器４０を引き出し、収容容器４０内に収容されたごみを回収又は廃棄することができる。
【００２５】
収容容器４０内のごみを回収又は廃棄した後、空の収容容器４０を本体１２内に収め、蓋体３０ｂの持ち上げるようにして、支持軸３４を支点とし回動して、扉体３２ａの状態とする。こうして、取出口３１は閉口される。そして、扉体３２ａを施錠して、常態とすることができる。
【００２６】
上述のとおり、蓋体は、上端に設けられた支持軸が本体の軸受け部に挿入され、揺動自在となっている。そして、蓋体は、前記支持軸を支点として回動することで、投入口を開閉する。このように、蓋体の開閉機構は、バネや複雑な機器装置等の部材が使用されていないため、長期間にわたる使用においても不具合が生じる頻度を低減できる。この結果、公衆トイレ用ごみ箱は、部材の修理・交換が生じたりする頻度が極めて少ないため、煩雑なメンテナンスを要することなく、長期にわたって使用できる。
【００２７】
投入口は、長さ５０〜１７０ｍｍ、幅１５〜５５ｍｍで開口しているため、空き缶、空き瓶、新聞、雑誌等、本来、公衆トイレ用ごみ箱が収集対象としていないごみが投入されることを防止できる。加えて、常態においては、投入口が蓋体で塞がれ、取出口が扉体で塞がれているため、投入口及び取出口から本体内に収容されたごみを容易に目視できない。加えて、常態においては、投入口が蓋体で塞がれ、取出口が扉体で塞がれているため、悪戯目的でごみが取り出されることを防止できると共に、臭気の拡散等も抑制でき、公衆衛生の面から好ましい環境を作ることができる。
本発明の公衆トイレ用ごみ箱は、床面から投入口の上端までの距離が６０〜１００ｃｍとなるように設置されることが想定される。投入口が鉛直方向に対して１０〜３０°で上向きに傾いた上部傾斜面に形成されているため、トイレ使用者は便座に着座したままであっても、容易にごみを投入口に投入できる。
【００２８】
（その他の実施形態）
本発明の公衆トイレ用ごみ箱は、上述の実施形態に限定されない。
上述の実施形態では、投入口２１は矩形であるが、投入口２１の形状はこれに限られず、例えば、楕円形等であってもよい。投入口２１の形状が楕円形である場合、長径の長さを投入口の長さとし、短径の長さを投入口２１の幅とする。加えて、上述の実施形態では、投入口２１は横方向に長い形状であるが、本発明はこれに限定されず、上下方向に長い形状であってもよい。
【００２９】
蓋体２２は上述の実施形態に限られず、常態において投入口２１を塞ぐ構造であればよい。即ち、蓋体２２自身の重心移動により、投入口２１の周縁部に接触して、あるいは、接触せずに、投入口２１を塞ぐものであればよい。
例えば、上述の実施形態では、蓋体２２が底辺ｃを形成する底面を有しているが、蓋体２２の形状はこれに限られず、底面を有しない構造であってもよい。平板を二つ折りとして側断面の形状を略Ｖ字型とし、折り目である稜線を上端２５とした形状であってもよい。あるいは、蓋体２２は、第一の辺ａ、第二の辺ｂが曲面を形成していてもよい。
また、例えば、蓋体２２は、その形態を一枚板とし、該一枚板の上方に錘を設け、該錘の下方に支持軸を設け、常態において前記一枚板の下部が前面フレーム１４に当接した状態で投入口２１を塞ぐような重心とした構造であってもよい。
【００３０】
上述の実施形態では、蓋体２２は、蓋体２２に設けられた支持軸２４が、本体１２に設けられた軸受け２６に挿入されているが、蓋体２２を本体１２に支持する手段はこれ限られず、蓋体２２が揺動できるものであればよい。例えば、蓋体２２を前面フレーム１４に蝶番で接続してもよい。
また、支持軸２４が天面１５より２〜１０ｍｍ程低い位置にある方が、蓋体２２は回転しやすい。
【００３１】
上述の実施形態では、下部傾斜面３０は下方に傾いた傾斜面であるが、下部傾斜面３０の形態はこれに限定されることなく、意匠性等を勘案して決定することができる。ただし、トイレ室の空間を有効利用する観点からは、下部傾斜面３０は下方に傾いた傾斜面とすることが好ましい。
【００３２】
上述の実施形態では、扉体３２は、扉体３２の下部に支持軸３４を設け、支持軸３４を支点として開閉するものであるが、本発明はこれに限定されることはない。例えば、扉体３２の上部の両側に支持軸を設け、該支持軸を支点とし開閉するものであってもよいし、扉体３２の略鉛直方向に支持軸を設け、該支持軸を支点とし開閉するものであってもよい。
【符号の説明】
【００３３】
１０      公衆トイレ用ごみ箱
１２      本体
２０      上部傾斜面
２１      投入口
２２、２２ａ、２２ｂ  蓋体
２４      支持軸
３０      下部傾斜面
３１      取出口
３２、３２ａ、３２ｂ  扉体      
４０      収容容器
【図１】
2010269909.tif 000003
【図２】
2010269909.tif 000004
【図３】
2010269909.tif 000005
【図４】
2010269909.tif 000006